(57)【特許請求の範囲】
【請求項１】
電槽蓋の上下に貫通する孔にフロート式比重計が螺嵌された鉛蓄電池において、前記蓋は、上面に前記孔を囲むように環状の突起が形成され、前記突起の上端と前記比重計の上面を覆う透明板とを高周波振動で溶着したことを特徴とする鉛蓄電池。
【請求項２】
電槽蓋の上下に貫通する孔にフロート式比重計が螺嵌された鉛蓄電池において、前記蓋は、上面に凹部を有し、前記凹部の底面に前記孔と前記孔を囲むように環状の突起が形成され、前記突起の上端と前記比重計の上面を覆う透明板とを高周波振動で溶着し、該透明板は、前記凹部に嵌め込まれ、上面が前記蓋の上面以下の位置にあることを特徴とする鉛蓄電池。
【発明の詳細な説明】
【０００１】
【発明の属する技術分野】
本発明は、鉛蓄電池に関し、特に電槽蓋にフロート式比重計が取り付けられた鉛蓄電池に関するものである。
【０００２】
【従来の技術】
鉛蓄電池は、内燃機関の始動用をはじめ多くの用途に利用されている。その中には直接人が触れる場所で使用されるものが多い。ところで、鉛蓄電池に関する不具合のうち、静電気の放電による火花に電池内の水素ガスが引火して爆発が起こる不具合が見られる。これは、人体を含む周辺環境と電池の間に静電気による高電圧が生じた時、電池の液口栓やフロート式比重計のねじ部を通って、あるいは電池の排気口を通って電池内外間でスパーク放電が起こり、その際発生する火花に電池内の水素ガスが引火するためである。この引火による爆発は、まれに電槽を破壊して電解液を飛散させる等により、周辺機器を損傷することがあった。これを防止するために、前記液口栓等のねじ部にゴムパッキンを介在させている。しかし、ゴムパッキンだけでは前記スパーク放電を完全に防ぐことができず、特に、該パッキンが電解液で湿っている場合は、その効果が大きく低下した。
【０００３】
そこで、例えば液口栓の場合は、電槽蓋の孔を塞ぐ天井板を大きくしてねじ部と蓋上面との距離を長くして、すなわち沿面距離を長くしてスパーク放電を防止する構造が提案されている。また、排気口については、例えば蓋に迷路構造の排気路を形成して沿面距離を長くしたものが提案されている。
【０００４】
しかし、沿面距離を長くするために液口栓の天井板を水平方向に大きくすると、蓋上面に占める天井板の面積が大きくなるので、小さな電池には適用しにくくなる。従って、小さな電池では高さ方向に沿面距離を長くする手段が採用されている。しかし、液口栓の高さ寸法が大きくなれば、液口栓を蓋上面から突出させるか、蓋と極板群上部との空間の寸法を高くしなければならず、その結果容積効率が悪くなるという問題点があった。また、フロート式比重計が蓋の貫通孔に取り付けられている鉛電池では、比重計のねじ部から蓋上面までの高さを高くすると比重計が見にくくなるという問題点があった。
【０００５】
近年、使用開始から寿命期まで補水の必要のない鉛蓄電池が開発、使用されており、この電池には液口栓が無いものがある。従って、液口栓の上記問題点は、解消されつつあるが、電槽蓋に前記フロート式比重計が取り付けられている電池では、上記問題点を解消できなかった。
【０００６】
【発明が解決しようとする課題】
本発明は上記問題点に鑑みてなされたものであり、比重計の機能を損なうことなく静電気による電池内の爆発を防止し、電池や周辺機器の損傷を防止できる鉛蓄電池を提供することを目的とするものである。
【０００７】
【課題を解決するための手段】
上記問題点を解決するために、本発明の鉛蓄電池は、電槽蓋の上下に貫通する孔にフロート式比重計が螺嵌された鉛蓄電池において、前記蓋は、上面に前記孔を囲むように環状の突起が形成され、前記突起の上端と前記比重計の上面を覆う透明板とを高周波振動で溶着したことを特徴とする。
【０００８】
また、他の本発明の鉛蓄電池は、電槽蓋の上下に貫通する孔にフロート式比重計が螺合された鉛蓄電池において、前記蓋は、上面に凹部を有し、前記凹部の底面に前記孔と前記孔を囲むように環状の突起が形成され、前記突起の上端と前記比重計の上面を覆う透明板とを高周波振動で溶着し、前記透明板は、前記凹部内に嵌め込まれ、上面が前記蓋の上面以下の位置にあることを特徴とする。
【０００９】
【作用】
本発明の請求項１によれば、比重計のネジ部と外部電極間にある突起の先端と透明板とを高周波振動で溶着して、スパーク放電経路を遮断しているので、静電気による爆発が電池内で発生することがない。また、比重計の上部が透明板で覆われているので、電解液比重を目視により判別する機能が損なわれることがない。
【００１０】
さらに、請求項２によれば、透明板や比重計が蓋上面から突出することがないので、容積効率を低下させない。また、透明板を凹部に嵌め込めるので、この透明板を凹部へ溶着または接着するときの位置決めが容易となり、生産性に優れ、信頼性も向上できる。
【００１１】
【発明の実施の形態】
以下、本発明の実施形態について図面に基づいて説明する。
【００１２】
（実施形態１）
図１は、本発明の一実施形態を示す要部断面図で、１はポリプロピレン製の電槽蓋、２はフロート式比重計、３はＡＢＳ樹脂製の透明板、４はゴムパッキンである。前記蓋１には、上下に貫通する孔５が形成され、この孔５に比重計２が螺嵌されている。前記比重計２は、円筒形をなし、上部が天井板８で塞がれている。該天井板８は、円筒形の本体より直径が大きい透明な円板からなる。前記孔５は、比重計２の周面に沿った形状をなし、比重計２の天井板８と本体が交わった部分にゴムパッキン４がはめ込まれている。
【００１３】
前記蓋１は、前記孔５の上面の近傍にこの孔５を囲むように上向きの環状の突起６が形成され、その上に前記孔５を塞ぐように前記透明板３を載置すると共に、前記突起６の先端が透明板５と溶着または接着している。
【００１４】
（実施形態２）
図２は、本発明の他の一実施形態を示す要部断面図であり、図１と同一符号は同一名称を示す。
【００１５】
本実施形態は、実施形態１に比べ、蓋１に凹部７が形成され、この底面に孔５と突起６が形成されている点で異なる。そして、この凹部７内に前記透明板３がはめ込まれており、透明板３の上面と電槽蓋１上面とが一致している。このような構造にすることにより、蓋１上面から透明板３が突出することがなく、容積効率が低下したり、見栄えが悪くなることがない。また、透明板３と凹部７の幅寸法をほぼ一致させておくと、突起先端に透明板を取り付ける際、位置決めする必要がないので作業が簡単になる。
【００１６】
【実施例】
図１の電槽蓋１の孔５にゴミパッキン４を介して比重計２を螺合させた後、突起６の上に透明板３を載せ、高周波振動で該透明板３と突起先端を溶着して実施形態１の鉛蓄電池を作製した。この電池の比重計２のねじ部と静電気放電用の電極間に２０ｋＶの電圧を印可して放電の有無を調査した。その結果、前記電極をねじ部に近づけてもスパーク放電の発生が見られなかった。
【００１７】
なお、静電気の電圧を２０ｋＶとしたのは、通常発生する静電気の最大電圧がほぼ２０ｋＶであるからである。
【００１８】
【発明の効果】
以上詳述したように、本発明の請求項１によれば、比重計と蓋との嵌合部分の距離（沿面距離）を長くすることなく、また、比重計の機能を損なわずに静電気による電池内での爆発を防止できる鉛蓄電池を提供できる。
【００１９】
また、本発明の請求項２によれば、請求項１の効果と共に、容積効率と作業性に優れた鉛蓄電池を提供できる。
【図面の簡単な説明】
【図１】本発明の一実施形態を示す要部断面図である。
【図２】本発明の他の実施形態を示す要部断面図である。
【符号の説明】
１  電槽蓋
２  フロート式比重計
３  透明板
５  孔
６  突起
７  凹部
【図１】
0004389419.tif 000002
【図２】
0004389419.tif 000003